(57)【要約】【課題】使用者の手の人差し指に装着されるウェアラブル端末装置において、親指で操作部を操作する際の操作性を良好にする。【解決手段】ウェアラブル端末装置１０は、リング状の端末本体２０と、端末本体２０の内側に組み付けられるインナ部材３０と、操作ボタン８１とを備える。端末本体２０の内側にインナ部材３０が組み付けられた状態において、端末本体２０及びインナ部材３０を含むウェアラブル端末装置１０の内側には、使用者の手の人差し指が挿入される装着穴４１が形成される。装着穴４１は、ウェアラブル端末装置１０の正面視にて端末本体２０の中心Ｃ１に対して使用者の手の中指側に偏心する。操作ボタン８１は、端末本体２０における使用者の手の親指側に位置する側面部２５の高さ方向の中央部２５Ａよりも下側に設けられている。この操作ボタン８１は、装着穴４１の中心Ｃ２に向かう方向を操作方向とする。【選択図】図４
2018036789.tif 000002
【特許請求の範囲】
【請求項１】
リング状の端末本体と、
前記端末本体の内側に組み付けられるインナ部材と、
前記端末本体の内側に前記インナ部材が組み付けられた状態において、前記端末本体及び前記インナ部材を含む組立体の内側に形成され、使用者の手の人差し指が挿入されると共に、前記組立体の正面視にて前記端末本体の中心に対して前記使用者の手の中指側に偏心する装着穴と、
前記端末本体における前記使用者の手の親指側に位置する側面部の高さ方向の中央部よりも下側に設けられると共に、前記装着穴の中心に向かう方向を操作方向とする操作部と、
を備えるウェアラブル端末装置。
【請求項２】
前記組立体における前記使用者の手の中指側に位置する部位のうち最も厚さの薄い部位は、前記組立体の正面視にて前記操作部の表面部の中心と前記装着穴の中心とを結ぶ線の延長線上からずれた位置に設定されている、
請求項１に記載のウェアラブル端末装置。
【請求項３】
前記インナ部材は、前記端末本体の内周面に沿って前記端末本体の内側に組み付けられると共に、前記端末本体の周方向の一部と対応する位置に切れ目を有する開放形状であり、
前記切れ目は、前記組立体の正面視にて前記操作部の表面部の中心と前記装着穴の中心とを結ぶ線の延長線上からずれた位置にある、
請求項１又は請求項２に記載のウェアラブル端末装置。
【請求項４】
前記端末本体の内周面には、凹部及び凸部の一方である嵌合部が形成され、
前記インナ部材の外周面には、凹部及び凸部の他方であり、前記嵌合部と嵌合される被嵌合部が形成されている、
請求項１〜請求項３のいずれか一項に記載のウェアラブル端末装置。
【請求項５】
前記端末本体の高さ方向の上側の部位には、回路基板を含む内部ユニットが内蔵されている、
請求項１〜請求項４のいずれか一項に記載のウェアラブル端末装置。
【請求項６】
前記端末本体の奥行方向の前側の部位には、対象物から出力された信号を受信するアンテナが内蔵されている、
請求項１〜請求項５のいずれか一項に記載のウェアラブル端末装置。
【請求項７】
前記装着穴は、前記組立体の正面視にて前記組立体の高さ方向を短軸方向とし前記組立体の横幅方向を長軸方向とする偏平円形状である、
請求項１〜請求項６のいずれか一項に記載のウェアラブル端末装置。
【請求項８】
前記装着穴の内周面のうち前記組立体の高さ方向の下側に位置する部位及び前記組立体の高さ方向の上側に位置する部位の少なくとも一方には、前記組立体の横幅方向及び奥行方向に延在する平面が形成されている、
請求項１〜請求項７のいずれか一項に記載のウェアラブル端末装置。
【請求項９】
前記装着穴の内周面のうち前記組立体の高さ方向の下側に位置する部位及び前記組立体の高さ方向の上側に位置する部位の少なくとも一方には、前記組立体の高さ方向に突出する突起部が形成されている、
請求項１〜請求項８のいずれか一項に記載のウェアラブル端末装置。
【発明の詳細な説明】
【技術分野】
【０００１】
本願の開示する技術は、使用者の手の人差し指に装着されるウェアラブル端末装置に関する。
【背景技術】
【０００２】
近年、使用者の身体に装着されるウェアラブル端末装置が使用され始めている。このウェアラブル端末装置としては、使用者の身体の各部位に適した形状のものが複数種類提案されている。その中でも、例えば、使用者の手の人差し指に装着されるウェアラブル端末装置がある（例えば、特許文献１〜５参照）。さらに、人差し指に装着されるウェアラブル端末装置において、親指で操作する操作ボタンなどの操作部を備えたものがある（例えば、特許文献１、２参照）。
【先行技術文献】
【特許文献】
【０００３】
【特許文献１】特開２０１６−１２２２９５号公報
【特許文献２】特開２００５−９４４２５号公報
【特許文献３】特開２００８−１８１４８号公報
【特許文献４】特開２０１５−１６２１２５号公報
【特許文献５】特開２００８−１８８２１５号公報
【発明の概要】
【発明が解決しようとする課題】
【０００４】
使用者の手の人差し指に装着されるウェアラブル端末装置において、親指で操作する操作部を備える場合、親指で操作部を操作する際の操作性が良好であることが望ましい。
【０００５】
本願の開示する技術は、一つの側面として、使用者の手の人差し指に装着されるウェアラブル端末装置であって、親指で操作部を操作する際の操作性が良好であるウェアラブル端末装置を提供することを目的とする。
【課題を解決するための手段】
【０００６】
上記目的を達成するために、本願の開示する技術に係るウェアラブル端末装置は、端末本体と、インナ部材と、装着穴と、操作部とを備える。端末本体は、リング状であり、インナ部材は、端末本体の内側に組み付けられる。装着穴は、端末本体の内側にインナ部材が組み付けられた状態において、端末本体及びインナ部材を含む組立体の内側に形成される。装着穴には、使用者の手の人差し指が挿入される。この装着穴は、組立体の正面視にて端末本体の中心に対して使用者の手の中指側に偏心する。操作部は、端末本体における使用者の手の親指側に位置する側面部の高さ方向の中央部よりも下側に設けられている。この操作部は、装着穴の中心に向かう方向を操作方向とする。
【発明の効果】
【０００７】
本願の開示する技術に係るウェアラブル端末装置によれば、親指で操作部を操作する際の操作性を良好にすることができる。
【図面の簡単な説明】
【０００８】
【図１】本願の開示する技術の一実施形態に係るウェアラブル端末装置の斜視図である。
【図２】図１に示されるウェアラブル端末装置において、端末本体からインナ部材を取り外した状態を斜め前方から見た斜視図である。
【図３】図１に示されるウェアラブル端末装置において、端末本体からインナ部材を取り外した状態を斜め後方から見た斜視図である。
【図４】図１に示されるウェアラブル端末装置を正面から見た縦断面図である。
【図５】図１に示される端末本体において、表皮部の図示を省略した状態を示す斜視図である。
【図６】図５に示されるベース部材及びアンテナの組付状態を示す斜視図である。
【図７】図１に示される端末本体を親指側から見た側面図である。
【図８】図１に示されるウェアラブル端末装置を人差し指に装着した状態で操作ボタンを親指で操作する様子を示す斜視図である。
【図９】図８のＦ９−Ｆ９線で切断した断面図である。
【図１０】図１に示されるウェアラブル端末装置を人差し指に装着する手順を説明する図である。
【図１１】図１に示されるウェアラブル端末装置の使用例を示す斜視図である。
【図１２】図１に示されるウェアラブル端末装置の第一変形例を示す図９に対応する断面図である。
【図１３】図１に示されるウェアラブル端末装置の第二変形例を示す図９に対応する断面図である。
【図１４】図１に示されるウェアラブル端末装置の第三変形例を示す図９に対応する断面図である。
【図１５】図１に示されるウェアラブル端末装置の第四変形例を示す図９に対応する断面図である。
【図１６】図１に示されるウェアラブル端末装置の第五変形例を示す図９に対応する断面図である。
【図１７】図１に示されるウェアラブル端末装置の第六変形例を示す図９に対応する断面図である。
【発明を実施するための形態】
【０００９】
以下、本願の開示する技術の一実施形態を説明する。
【００１０】
図１〜図９には、本願の開示する技術の一実施形態に係るウェアラブル端末装置１０が示されている。各図において、Ｘ軸方向、Ｙ軸方向、Ｚ軸方向は、ウェアラブル端末装置１０の奥行方向、横幅方向、高さ方向をそれぞれ示している。ウェアラブル端末装置１０は、使用者の手の人差し指に装着されるものである。このウェアラブル端末装置１０が人差し指に正しく装着された状態において、ウェアラブル端末装置１０の奥行方向、横幅方向、高さ方向は、人差し指の長さ方向、人差し指の左右方向、人差し指の表裏方向のそれぞれに相当する。以下の説明において、正面視とは、ウェアラブル端末装置１０をその奥行方向に見た場合に相当する。本実施形態では、一例として、右手用のウェアラブル端末装置１０について説明する。
【００１１】
図１〜図３に示されるように、ウェアラブル端末装置１０は、端末本体２０と、インナ部材３０とを備える。端末本体２０は、リング状であり、インナ部材３０は、切れ目３３を有する開放形状である。インナ部材３０は、より具体的には、開放形状の一例として、概略Ｕ字状に形成されている。このインナ部材３０は、端末本体２０の内側に組み付けられる。インナ部材３０は、好ましくは、例えばゴム等の軟質材料で形成されるが、例えば硬質プラスチック等の硬質材料で形成されても良い。
【００１２】
端末本体２０の内周面２１には、凹部である嵌合部２４が形成され、インナ部材３０の外周面３２には、凸部である被嵌合部３４が形成されている。嵌合部２４及び被嵌合部３４が嵌合することにより、インナ部材３０は、端末本体２０の周方向及び奥行方向に位置決めされた状態で、端末本体２０の内側に組み付けられる。インナ部材３０は、上述の如く端末本体２０の周方向及び奥行方向に位置決めされた状態を、端末本体２０に対する正規の組付状態としている。
【００１３】
図４に示されるように、端末本体２０の外形部は、端末本体２０の高さ方向を長軸方向とし端末本体２０の横幅方向を短軸方向とする概略長円形状である。一方、端末本体２０の内側に形成された孔２３は、端末本体２０の正面視にて概略円形状を成している。インナ部材３０の外周面３２は、曲面により形成されている。インナ部材３０は、概略Ｕ字状に湾曲する板状に形成されており、可撓性及び弾性を有する。
【００１４】
端末本体２０に組み付けられる前の自由状態でのインナ部材３０の外径は、端末本体２０の内径よりも小さい寸法に設定され、インナ部材３０は、弾性変形を伴った状態で、端末本体２０の内側に組み付けられる。インナ部材３０が端末本体２０の内側に弾性変形を伴った状態で組み付けられることにより、インナ部材３０の外周面３２は、端末本体２０の内周面２１に密着される。このように、インナ部材３０は、正規の組付状態で端末本体２０に組み付けられたときには、端末本体２０の内周面２１に沿って配置される。
【００１５】
また、インナ部材３０が正規の組付状態で端末本体２０に組み付けられたときには、端末本体２０の周方向の一部と対応する位置にインナ部材３０の切れ目３３が位置する。本実施形態では、一例として、切れ目３３の位置は、端末本体２０の高さ方向の上側の部位と対応する位置に設定されている。この切れ目３３は、より具体的には、ウェアラブル端末装置１０の正面視にて端末本体２０の中心Ｃ１を通り端末本体２０の高さ方向に延びる仮想線、すなわち、端末本体２０の横幅方向中心線ＬＷ１上に位置する。なお、図４では、図１〜図３に対してサイズの異なるインナ部材３０が用いられており、切れ目３３の大きさが図１〜図３の場合と異なっている。
【００１６】
そして、上述のように端末本体２０の内側にインナ部材３０が組み付けられた状態では、端末本体２０及びインナ部材３０によって組立体４０が構成される。本実施形態では、ウェアラブル端末装置１０が端末本体２０及びインナ部材３０の二つの部品に分割されている。このように、ウェアラブル端末装置１０が端末本体２０及びインナ部材３０に分割されている場合、組立体４０は、ウェアラブル端末装置１０に相当する。したがって、以下、組立体４０をウェアラブル端末装置１０として説明する。この端末本体２０及びインナ部材３０によって構成される組立体４０としてのウェアラブル端末装置１０の内側には、使用者の手の人差し指が挿入される装着穴４１が形成される。
【００１７】
装着穴４１は、ウェアラブル端末装置１０の正面視にて概略円形に形成される。装着穴４１は、ウェアラブル端末装置１０の正面視にて端末本体２０の中心Ｃ１に対して使用者の手の中指側に偏心している。つまり、装着穴４１の中心Ｃ２は、ウェアラブル端末装置１０の正面視にて端末本体２０の中心Ｃ１に対して使用者の手の中指側にずれている。なお、本実施形態では、端末本体２０の外形部が概略長円形状で、装着穴４１が概略円形であるので、装着穴４１の中心Ｃ２は、端末本体２０の中心Ｃ１に対してウェアラブル端末装置１０の高さ方向の下側にもずれている。端末本体２０の中心Ｃ１及び装着穴４１の中心Ｃ２の定義は、以下の通りである。
【００１８】
すなわち、端末本体２０の中心Ｃ１は、端末本体２０の横幅方向の中央を通り端末本体２０の高さ方向に延びる横幅方向中心線ＬＷ１と、端末本体２０の高さ方向の中央を通り端末本体２０の横幅方向に延びる高さ方向中心線ＬＨ１との交点によって規定される。ただし、本実施形態のように、端末本体２０の外形部に後述する囲い部２６のような突起部や構造部が形成される場合がある。この場合には、端末本体２０の基本形状を成す外形部の形状、すなわち、本実施形態で言えば、端末本体２０の高さ方向を長軸方向とし端末本体２０の横幅方向を短軸方向とする概略長円形状に基づいて端末本体２０の中心Ｃ１が規定される。
【００１９】
同様に、装着穴４１の中心Ｃ２は、装着穴４１の横幅方向の中央を通り装着穴４１の高さ方向に延びる横幅方向中心線ＬＷ２と、装着穴４１の高さ方向の中央を通り装着穴４１の横幅方向に延びる高さ方向中心線ＬＨ２との交点によって規定される。
【００２０】
そして、上述のように装着穴４１が端末本体２０の中心Ｃ１に対して偏心することにより、端末本体２０及びインナ部材３０によって構成されたウェアラブル端末装置１０は、次のように横幅方向の一方側と他方側とで厚さに差異が生じている。すなわち、ウェアラブル端末装置１０では、使用者の手の中指側に位置する部位４２の方が使用者の手の親指側に位置する部位４３よりも厚さが薄くなっている。具体的には、端末本体２０の高さ方向中心線ＬＨ１上において厚さを比較した場合に、使用者の手の中指側に位置する部位４２の厚さＴ１は、使用者の手の親指側に位置する部位４３の厚さＴ２よりも薄くなっている。
【００２１】
また、端末本体２０における使用者の手の親指側に位置する側面部２５には、「操作部」の一例である操作ボタン８１が設けられている。親指側に位置する側面部２５の高さ方向の中央部２５Ａは、端末本体２０の高さ方向中心線ＬＨ１上に位置し、操作ボタン８１は、側面部２５の高さ方向の中央部２５Ａよりも下側に設けられている。この操作ボタン８１は、装着穴４１の中心Ｃ２に向かう方向を操作方向としている。つまり、この操作ボタン８１は、一例として、押ボタン式スイッチの可動部であり、装着穴４１の中心Ｃ２に向かう方向に可動する。
【００２２】
この操作ボタン８１が設けられた側面部２５には、操作ボタン８１を囲う囲い部２６が設けられている。操作ボタン８１の操作方向から見た場合に、囲い部２６は、操作ボタン８１を囲う環状に形成されており、操作ボタン８１は、囲い部２６の中心に位置する。側面部２５からの囲い部２６及び操作ボタン８１の突出方向を囲い部２６及び操作ボタン８１の高さ方向とした場合に、囲い部２６の高さは、操作ボタン８１の高さと略同一となっている。
【００２３】
また、ウェアラブル端末装置１０における使用者の手の中指側に位置する部位４２のうち最も厚さの薄い部位４２Ａは、装着穴４１の高さ方向中心線ＬＨ２と横幅方向中心線ＬＷ１の間に位置しており、この最も厚さの薄い部位４２Ａの厚さは、Ｔ３である。そして、この最も厚さの薄い部位４２Ａと操作ボタン８１との位置関係は、次の通りである。
【００２４】
すなわち、ウェアラブル端末装置１０の正面視にて操作ボタン８１の表面部８２（操作面）の中心Ｃ３と装着穴４１の中心Ｃ２とを結ぶ線の延長線を延長線ＬＥとした場合に、最も厚さの薄い部位４２Ａは、延長線ＬＥ上からずれた位置に設定されている。また、上述のインナ部材３０の切れ目３３も、端末本体２０の横幅方向中心線ＬＷ１上に位置することにより、延長線ＬＥ上からずれた位置にある。本実施形態では、一例として、最も厚さの薄い部位４２Ａは、延長線ＬＥよりもウェアラブル端末装置１０の高さ方向の下側に位置している。また、切れ目３３は、延長線ＬＥよりもウェアラブル端末装置１０の高さ方向の上側に位置している。
【００２５】
図１〜図３に示されるように、上述の端末本体２０は、より具体的には、リング状のベース部材２７と、ベース部材２７をその径方向外側から覆う表皮部２８とを有する。図５には、端末本体２０において、表皮部２８の図示を省略した状態が示されている。図５に示されるように、ベース部材２７の高さ方向の上側の部位には、内部ユニット５０が搭載されている。
【００２６】
内部ユニット５０は、回路基板５１と、この回路基板５１を支持する支持部材５２とを有する。この回路基板５１を有する内部ユニット５０には、例えば、モーションセンサ、省電力無線回路、マイクロコンピュータ、バッテリ、ＮＦＣ（Near Field radio Communication）リーダ等が含まれる。支持部材５２の下には、回路基板５１等に電源を供給する電池６０が搭載されている。ベース部材２７における使用者の手の親指側に位置する側部には、電源コントロール基板７０及びスイッチ８０が設けられている。スイッチ８０は、上述の操作ボタン８１とスイッチ本体８３とを有する。
【００２７】
図６には、図５のベース部材２７及びアンテナ９０の組付状態が示されている。図６に示されるように、ベース部材２７の奥行方向の前側の部位には、対象物から出力された信号を受信するアンテナ９０が設けられている。このアンテナ９０は、一例として、ベース部材２７の周方向の全周に亘って設けられている。
【００２８】
そして、図７に示されるように、上述の内部ユニット５０、電池６０、電源コントロール基板７０、スイッチ本体８３、及び、アンテナ９０は、端末本体２０の表皮部２８により覆われる。これにより、端末本体２０の高さ方向の上側の部位には、回路基板５１を含む内部ユニット５０と電池６０が内蔵される。また、端末本体２０における使用者の手の親指側の部位には、電源コントロール基板７０及びスイッチ本体８３が内蔵され、端末本体２０の奥行方向の前側の部位には、アンテナ９０が内蔵される。
【００２９】
また、操作ボタン８１は、表皮部２８に形成された穴８４を通じて表皮部２８の外部に突出する。図１、図２に示されるように、表皮部２８の前面部には、上述の電池６０（図５参照）を取り出すためのスロート６１が形成され、図３に示されるように、表皮部２８の背面部には、電池６０を挿入するための挿入口６２が形成されている。
【００３０】
次に、本実施形態の作用及び効果について説明する。
【００３１】
以上詳述したように、本実施形態に係るウェアラブル端末装置１０は、リング状の端末本体２０と、この端末本体２０の内側に組み付けられるインナ部材３０とを備える。したがって、例えば、異なる大きさのインナ部材３０を複数種類用意すると共に、その中から使用者の手の人差し指の太さに適したインナ部材３０を選択することで、装着穴４１を使用者の手の人差し指の太さに適合させることができる。これにより、ウェアラブル端末装置１０の装着時の安定性を確保することができる。
【００３２】
ここで、図８には、上述のウェアラブル端末装置１０を使用者の手の人差し指１に装着した状態で操作ボタン８１を親指３で操作する様子が示されている。また、図９には、図８のＦ９−Ｆ９線で切断した断面が示されている。本実施形態に係るウェアラブル端末装置１０によれば、上述の如く、使用者の手の人差し指１の太さに適したインナ部材３０を選択することで、ウェアラブル端末装置１０の装着時の安定性を確保することができる。これにより、図８、図９に示されるように、操作ボタン８１を親指３で操作する際に、ウェアラブル端末装置１０がぐらついたり不意に回転したり人差し指１の長さ方向にずれたりすることを抑制することができる。
【００３３】
また、図９に示されるように、ウェアラブル端末装置１０の正面視にて、装着穴４１は、端末本体２０の中心Ｃ１に対して使用者の手の中指側に偏心している。そして、これにより、ウェアラブル端末装置１０は、使用者の手の中指側に位置する部位４２の方が使用者の手の親指側に位置する部位４３よりも厚さが薄くなっている。したがって、操作ボタン８１を親指３で操作する場合でも、ウェアラブル端末装置１０の中指２への干渉及び中指２の拘束を少なくして中指２を自然な状態にすることができる。これにより、操作ボタン８１の操作時に、中指２をウェアラブル端末装置１０に自然な状態で添えることができる。また、操作ボタン８１を操作しないときも、ウェアラブル端末装置１０の中指２への干渉及び中指２の拘束を抑制してウェアラブル端末装置１０の装着時の快適性を確保することができる。
【００３４】
また、操作ボタン８１は、端末本体２０における使用者の手の親指側に位置する側面部２５の高さ方向の中央部２５Ａよりも下側に設けられると共に、装着穴４１の中心Ｃ２に向かう方向を操作方向としている。したがって、図９に示されるように、通常、人差し指１に対して下方にオフセットしている親指３を人差し指１と同じ高さまで移動させることなく、この親指３で操作ボタン８１を自然な状態で操作することができる。しかも、操作ボタン８１は、装着穴４１の中心Ｃ２に向かう方向を操作方向としているので、操作ボタン８１が操作された場合には、ウェアラブル端末装置１０に対して装着穴４１の中心Ｃ２周りに回転力が作用することを抑制できる。これにより、ウェアラブル端末装置１０が不意に回転することをより一層効果的に抑制することができる。
【００３５】
さらに、装着穴４１が端末本体２０の中心Ｃ１に対して使用者の手の中指側に偏心することにより、使用者の手の親指側に位置する部位４３の方が使用者の手の中指側に位置する部位４２よりも厚さが厚くなっている。これにより、通常、人差し指１に対して離れて位置する親指３に操作ボタン８１をより近づけて配置することができる。以上より、親指３で操作ボタン８１を操作する際の操作性を良好にすることができる。
【００３６】
ここで、図１０には、上述のウェアラブル端末装置１０を使用者の手の人差し指に装着する手順が示されている。本実施形態に係るウェアラブル端末装置１０は、上述の如く、リング状の端末本体２０と、この端末本体２０の内側に組み付けられるインナ部材３０とを備える。したがって、以下の要領で、ウェアラブル端末装置１０を手の人差し指に装着することができる。
【００３７】
すなわち、図１０に示されるように、先ず、人差し指１の下側からインナ部材３０を人差し指１の第二関節を超えた部位に装着する。そして、端末本体２０の内側に人差し指１を挿入し、端末本体２０をインナ部材３０に組み付けることにより、ウェアラブル端末装置１０を人差し指１に装着することができる。したがって、インナ部材３０を組み付ける前の端末本体２０の内側に人差し指１を挿入する際には、端末本体２０と人差し指１との間にインナ部材３０の分の隙間を確保することができる。これにより、例えば、人差し指１の関節が端末本体２０を容易に通過できるので、ウェアラブル端末装置１０の装着時の負荷を軽減することができる。この結果、インナ部材３０を備えないウェアラブル端末装置であって人差し指の太さに合致したウェアラブル端末装置を人差し指に装着する場合に比して、ウェアラブル端末装置１０の装着性を向上させることができる。
【００３８】
また、スペーサの役割を果たすインナ部材３０は、内部ユニット５０やアンテナ９０（図７参照）等を搭載する端末本体２０に比して安価である。したがって、インナ部材３０を備えないウェアラブル端末装置を人差し指の太さに応じて複数サイズ揃える場合に比して、異なる大きさのインナ部材３０を複数種類用意すれば足りる。これにより、人差し指の太さに応じてウェアラブル端末装置１０のサイズの種類を増やす場合でも、コストアップを抑制することができる。
【００３９】
また、図４に示されるように、使用者の手の中指側に位置する部位４２のうち最も厚さの薄い部位４２Ａは、ウェアラブル端末装置１０の正面視にて操作ボタン８１の表面部８２の中心Ｃ３と装着穴４１の中心Ｃ２とを結ぶ線の延長線ＬＥ上からずれた位置にある。したがって、装着穴４１の中心Ｃ２に向かう方向を操作方向とする操作ボタン８１が親指によって押された場合でも、最も厚さの薄い部位４２Ａよりも厚さの厚い部位で押し荷重を受けることができる。これにより、操作ボタン８１の操作時の剛性感を確保することができ、ひいては、親指で操作ボタン８１を操作する際の操作性を向上させることができる。
【００４０】
また、上述のインナ部材３０の切れ目３３も、端末本体２０の横幅方向中心線ＬＷ１上に位置することにより、延長線ＬＥ上からずれた位置にある。したがって、装着穴４１の中心Ｃ２に向かう方向を操作方向とする操作ボタン８１が親指によって押された場合でも、切れ目３３からずれた部位で押し荷重を受けることができる。したがって、このことによっても、操作ボタン８１の操作時の剛性感を確保することができ、ひいては、親指で操作ボタン８１を操作する際の操作性を向上させることができる。
【００４１】
また、図２、図３に示されるように、端末本体２０の内周面２１には、嵌合部２４が形成され、インナ部材３０の外周面３２には、嵌合部２４と嵌合する被嵌合部３４が形成されている。したがって、嵌合部２４及び被嵌合部３４が嵌合することにより、インナ部材３０を端末本体２０の周方向及び奥行方向に位置決めすることができる。これにより、ウェアラブル端末装置１０の装着時に端末装置に対してインナ部材３０が位置ずれすることを抑制することができるので、ウェアラブル端末装置１０の装着時の安定性を向上させることができる。
【００４２】
また、図７に示されるように、回路基板５１を含む内部ユニット５０や電池６０は、端末本体２０の高さ方向の上側の部位に内蔵されている。したがって、使用者の手の中指側に位置する部位４２（図４参照）の厚さが内部ユニット５０や電池６０の影響を受けることを抑制することができるので、使用者の手の中指側に位置する部位４２の厚さをより適切な薄さにすることができる。
【００４３】
また、図７に示されるように、端末本体２０の奥行方向の前側の部位には、対象物から出力された信号を受信するアンテナ９０が内蔵されている。ここで、図１１には、ウェアラブル端末装置１０の使用例が示されている。この使用例において、ウェアラブル端末装置１０は、人差し指１の第二関節を超えた部位に装着されている。また、使用者は、人差し指１の第二関節を曲げて端末本体２０の奥行方向の前側の部位を対象物４に近づけた状態で、対象物４から出力された信号をアンテナ９０で受信させている。対象物４は、例えば、ＲＦＩＤ（Radio Frequency Identifier）タグ等である。
【００４４】
このように、端末本体２０の奥行方向の前側の部位にアンテナ９０が内蔵されていると、第二関節を曲げることでアンテナ９０を対象物により近づけることができる。これにより、対象物から出力された信号をアンテナ９０で円滑かつ的確に受信することができるので、対象物から出力された信号を受信する際の作業性を向上させることができる。
【００４５】
次に、本実施形態の変形例について説明する。
【００４６】
（第一変形例）
図１２に示されるように、インナ部材３０は、インナ部材３０の正面視にて中心角が１８０度よりも大きい扇形状とされていても良い。そして、このインナ部材３０は、端末本体２０の内側における使用者の手の親指側に偏って配置されていても良い。
【００４７】
このように構成されていると、インナ部材３０を小型化することができるので、インナ部材３０の材料費を節約することができると共に、端末本体２０へのインナ部材３０の組付性を向上させることができる。
【００４８】
（第二変形例）
図１３に示されるように、装着穴４１は、ウェアラブル端末装置１０の正面視にてウェアラブル端末装置１０の高さ方向を短軸方向としウェアラブル端末装置１０の横幅方向を長軸方向とする偏平円形状でも良い。この偏平円形状としては、例えば、楕円形や長円形状等がある。
【００４９】
このように構成されていると、偏平円形状である装着穴４１の内周面が人差し指１に接触する感触に基づいて、ウェアラブル端末装置１０が水平方向を保って人差し指１に装着されているか否かを使用者に容易に認識させることができる。これにより、ウェアラブル端末装置１０の横幅方向が人差し指１の左右方向と一致した状態を保つように、ウェアラブル端末装置１０を使用者に使用させることができる。この結果、例えば、ウェアラブル端末装置１０がモーションセンサを搭載する場合には、このモーションセンサによって検出された信号に基づいて人差し指の動きを正しく認識させることができる。
【００５０】
（第三変形例）
図１４に示されるように、装着穴４１の内周面のうちウェアラブル端末装置１０の高さ方向の下側に位置する部位には、ウェアラブル端末装置１０の横幅方向及び奥行方向に延在する平面１０１が形成されていても良い。
【００５１】
このように構成されていると、装着穴４１の内周面に形成された平面１０１が人差し指１の腹に接触する感触に基づいて、ウェアラブル端末装置１０が水平方向を保って人差し指１に装着されているか否かを使用者に容易に認識させることができる。
【００５２】
（第四変形例）
図１５に示されるように、上述の平面１０１は、装着穴４１の内周面のうちウェアラブル端末装置１０の高さ方向の上側に位置する部位に形成されていても良い。
【００５３】
このように構成されていると、装着穴４１の内周面に形成された平面１０１が人差し指１の背に接触する感触に基づいて、ウェアラブル端末装置１０が水平方向を保って人差し指１に装着されているか否かを使用者に容易に認識させることができる。
【００５４】
なお、上記第三変形例の平面１０１及び第四変形例の平面１０１の両方が適用されても良い。そして、装着穴４１の内周面のうちウェアラブル端末装置１０の高さ方向の下側に位置する部位及び上側に位置する部位の両方に平面１０１がそれぞれ形成されていても良い。
【００５５】
（第五変形例）
図１６に示されるように、装着穴４１の内周面のうちウェアラブル端末装置１０の高さ方向の下側に位置する部位には、ウェアラブル端末装置１０の高さ方向の上側に突出する突起部１０２が形成されていても良い。
【００５６】
このように構成されていると、装着穴４１の内周面に形成された突起部１０２が人差し指１の腹に接触する感触に基づいて、ウェアラブル端末装置１０が水平方向を保って人差し指１に装着されているか否かを使用者に容易に認識させることができる。
【００５７】
（第六変形例）
図１７に示されるように、上述の突起部１０２は、装着穴４１の内周面のうちウェアラブル端末装置１０の高さ方向の上側に位置する部位に形成されていても良い。
【００５８】
このように構成されていると、装着穴４１の内周面に形成された突起部１０２が人差し指１の背に接触する感触に基づいて、ウェアラブル端末装置１０が水平方向を保って人差し指１に装着されているか否かを使用者に容易に認識させることができる。
【００５９】
なお、上記第五変形例の突起部１０２及び第六変形例の突起部１０２の両方が適用されても良い。そして、装着穴４１の内周面のうちウェアラブル端末装置１０の高さ方向の下側に位置する部位及び上側に位置する部位の両方にウェアラブル端末装置１０の高さ方向に突出する突起部１０２がそれぞれ形成されていても良い。
【００６０】
（その他の変形例）
上記実施形態において、端末本体２０の外形部は、端末本体２０の高さ方向を長軸方向とし端末本体２０の横幅方向を短軸方向とする概略長円形状である。しかしながら、端末本体２０の外形部の形状は、例えば、概略円形状、概略楕円形状、概略四角形状など、概略長円形状以外の形状でも良い。
【００６１】
また、上記実施形態において、端末本体２０の内側の孔２３は、端末本体２０の正面視にて概略円形状である。しかしながら、端末本体２０の内側の孔２３は、端末本体２０の正面視にて、例えば、概略楕円形状、概略長円形状、概略四角形状など、概略円形状以外の形状でも良い。
【００６２】
また、端末本体２０の内側の孔２３が、端末本体２０の正面視にて概略円形状以外の形状である場合、インナ部材３０の外形部の形状も、端末本体２０の内側の孔２３の形状に対応して種々の形状が採用されても良い。
【００６３】
また、上記実施形態では、端末本体２０の内側には、一つのインナ部材３０が組み付けられるが、端末本体２０の内側に、複数のインナ部材３０が組み付けられても良い。
【００６４】
また、上記実施形態において、ウェアラブル端末装置１０は、端末本体２０及びインナ部材３０の二つの部品に分割されている。しかしながら、ウェアラブル端末装置１０は、端末本体２０及びインナ部材３０以外の構成部品を有していても良い。ウェアラブル端末装置１０が端末本体２０及びインナ部材３０以外のその他の構成部品を有する場合、装着穴４１を形成する組立体４０は、その他の構成部品を含んでも含まなくてもどちらでも良い。つまり、装着穴４１は、端末本体２０及びインナ部材３０によって形成されても良く、また、端末本体２０、インナ部材３０、及び、その他の構成部品によって形成されても良い。
【００６５】
また、上記実施形態において、端末本体２０の内周面２１に形成された嵌合部２４は、凹部であり、インナ部材３０の外周面３２に形成された被嵌合部３４は、凸部であるが、嵌合部２４は、凸部で、被嵌合部３４は、凹部でも良い。
【００６６】
また、上記実施形態では、「操作部」の一例として、押ボタン式の操作ボタン８１が用いられているが、装着穴４１の中心Ｃ２に向かう方向を操作方向する操作部であれば、押ボタン式以外のものでも良い。また、装着穴４１の中心Ｃ２に向かう方向を操作方向する操作部であれば、例えばタッチ式等の可動式以外の操作部が用いられても良い。
【００６７】
また、上記実施形態において、ウェアラブル端末装置１０は、一例として、右手用とされているが、上記構成と左右反転した構成とされて左手用とされても良い。
【００６８】
なお、上記複数の変形例のうち、組み合わせ可能な変形例は、適宜、組み合わされて実施されても良い。
【００６９】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００７０】
なお、上述の本願の開示する技術の一実施形態に関し、更に以下の付記を開示する。
【００７１】
（付記１）
リング状の端末本体と、
前記端末本体の内側に組み付けられるインナ部材と、
前記端末本体の内側に前記インナ部材が組み付けられた状態において、前記端末本体及び前記インナ部材を含む組立体の内側に形成され、使用者の手の人差し指が挿入されると共に、前記組立体の正面視にて前記端末本体の中心に対して前記使用者の手の中指側に偏心する装着穴と、
前記端末本体における前記使用者の手の親指側に位置する側面部の高さ方向の中央部よりも下側に設けられると共に、前記装着穴の中心に向かう方向を操作方向とする操作部と、
を備えるウェアラブル端末装置。
（付記２）
前記組立体における前記使用者の手の中指側に位置する部位のうち最も厚さの薄い部位は、前記組立体の正面視にて前記操作部の表面部の中心と前記装着穴の中心とを結ぶ線の延長線上からずれた位置に設定されている、
付記１に記載のウェアラブル端末装置。
（付記３）
前記インナ部材は、前記端末本体の内周面に沿って前記端末本体の内側に組み付けられると共に、前記端末本体の周方向の一部と対応する位置に切れ目を有する開放形状である、
付記１又は付記２に記載のウェアラブル端末装置。
（付記４）
前記切れ目は、前記組立体の正面視にて前記操作部の表面部の中心と前記装着穴の中心とを結ぶ線の延長線上からずれた位置にある、
付記３に記載のウェアラブル端末装置。
（付記５）
前記インナ部材が前記端末本体に対して位置決めされた状態において、前記切れ目は、前記端末本体の高さ方向の上側の部位と対応する位置にある、
付記４に記載のウェアラブル端末装置。
（付記６）
前記インナ部材が前記端末本体に対して位置決めされた状態において、前記切れ目は、前記組立体の正面視にて前記端末本体の中心を通り前記端末本体の高さ方向に延びる仮想線上に位置する、
付記５に記載のウェアラブル端末装置。
（付記７）
前記端末本体における前記使用者の手の親指側に位置する側面部には、前記操作部を囲う囲い部が設けられている、
付記１〜付記６のいずれか一項に記載のウェアラブル端末装置。
（付記８）
前記端末本体の内周面には、凹部及び凸部の一方である嵌合部が形成され、
前記インナ部材の外周面には、凹部及び凸部の他方であり、前記嵌合部と嵌合される被嵌合部が形成されている、
付記１〜付記７のいずれか一項に記載のウェアラブル端末装置。
（付記９）
前記端末本体の高さ方向の上側の部位には、回路基板を含む内部ユニットが内蔵されている、
付記１〜付記８のいずれか一項に記載のウェアラブル端末装置。
（付記１０）
前記端末本体の奥行方向の前側の部位には、対象物から出力された信号を受信するアンテナが内蔵されている、
付記１〜付記９のいずれか一項に記載のウェアラブル端末装置。
（付記１１）
前記インナ部材は、前記端末本体の内側における前記使用者の手の親指側に偏って配置される、
付記１〜付記１０のいずれか一項に記載のウェアラブル端末装置。
（付記１２）
前記装着穴は、前記組立体の正面視にて前記組立体の高さ方向を短軸方向とし前記組立体の横幅方向を長軸方向とする偏平円形状である、
付記１〜付記１１のいずれか一項に記載のウェアラブル端末装置。
（付記１３）
前記装着穴の内周面のうち前記組立体の高さ方向の下側に位置する部位及び前記組立体の高さ方向の上側に位置する部位の少なくとも一方には、前記組立体の横幅方向及び奥行方向に延在する平面が形成されている、
付記１〜付記１２のいずれか一項に記載のウェアラブル端末装置。
（付記１４）
前記装着穴の内周面のうち前記組立体の高さ方向の下側に位置する部位及び前記組立体の高さ方向の上側に位置する部位の少なくとも一方には、前記組立体の高さ方向に突出する突起部が形成されている、
付記１〜付記１３のいずれか一項に記載のウェアラブル端末装置。
【符号の説明】
【００７２】
１０  ウェアラブル端末装置
２０  端末本体
２４  嵌合部
２５  側面部
２５Ａ  側面部の高さ方向の中央部
２６  囲い部
３０  インナ部材
３３  切れ目
３４  被嵌合部
４０  組立体
４１  装着穴
４２  使用者の手の中指側に位置する部位
４２Ａ  最も厚さの薄い部位
４３  使用者の手の親指側に位置する部位
５０  内部ユニット
５１  回路基板
８１  操作ボタン（操作部の一例）
８２  表面部
９０  アンテナ
１０１  平面
１０２  突起部
【図１】
2018036789.tif 000003
【図２】
2018036789.tif 000004
【図３】
2018036789.tif 000005
【図４】
2018036789.tif 000006
【図５】
2018036789.tif 000007
【図６】
2018036789.tif 000008
【図７】
2018036789.tif 000009
【図８】
2018036789.tif 000010
【図９】
2018036789.tif 000011
【図１０】
2018036789.tif 000012
【図１１】
2018036789.tif 000013
【図１２】
2018036789.tif 000014
【図１３】
2018036789.tif 000015
【図１４】
2018036789.tif 000016
【図１５】
2018036789.tif 000017
【図１６】
2018036789.tif 000018
【図１７】
2018036789.tif 000019